(57)【要約】【課題】マルチユーザＭＩＭＯシステムにおいて、ＤＰＣによって電波干渉による通信品質への影響を除去する効果を維持しつつ、ＤＰＣ処理による負荷を軽減することを図る。【解決手段】基地局が、空間多重する複数の移動局に関する到来方向推定値を用いて該複数の移動局に各各対応する送信ビームを形成する際に、送信ビームによって移動局間の電波干渉を起こさせないようにする移動局の数を該複数の移動局の総数未満に限定し、移動局間の電波干渉が起こり得る移動局に対し事前処理として送信信号にＤＰＣを行うマルチユーザＭＩＭＯシステムにおいて、ＤＰＣスイッチ２０は、移動局間の電波干渉による通信品質への影響がＤＰＣの有無に左右されないほどに小さい場合に、"DPC encoding"部１３に対してＤＰＣ処理を実行しないように指示する。【選択図】図１
2013005379.tif 000002
【特許請求の範囲】
【請求項１】
基地局が、空間多重する複数の移動局に関する到来方向推定値を用いて前記複数の移動局に各各対応する送信ビームを形成する際に、送信ビームによって移動局間の電波干渉を起こさせないようにする移動局の数を前記複数の移動局の総数未満に限定し、移動局間の電波干渉が起こり得る移動局に対し事前処理として送信信号にＤＰＣ（Dirty Paper Coding）を行うマルチユーザＭＩＭＯシステムにおいて、前記ＤＰＣの実行を制御するＤＰＣ処理制御装置であり、
前記ＤＰＣ処理制御装置は、移動局間の電波干渉による通信品質への影響がＤＰＣの有無に左右されないほどに小さい場合に、ＤＰＣ実行部に対してＤＰＣ処理を実行しないように指示する、
ことを特徴とするＤＰＣ処理制御装置。
【請求項２】
前記ＤＰＣ処理制御装置は、前記複数の移動局についての到来角度差が全て閾値を越えている場合に、ＤＰＣ実行部に対してＤＰＣ処理を実行しないように指示する、
ことを特徴とする請求項１に記載のＤＰＣ処理制御装置。
【請求項３】
前記ＤＰＣ処理制御装置は、移動局間の電波干渉が起こり得る移動局に対して、電波干渉を受ける全ての移動局との到来角度差が閾値を超えている場合に、ＤＰＣ実行部に対してＤＰＣ処理を実行しないように指示する、
ことを特徴とする請求項１に記載のＤＰＣ処理制御装置。
【請求項４】
前記ＤＰＣ処理制御装置は、各移動局の到来方向推定値から得られるステアリングベクターをＬＱ分解して得られる下三角行列の対角成分以外の成分のうち一つでも成分値が閾値以下である場合に、ＤＰＣ実行部に対してＤＰＣ処理を実行しないように指示する、
ことを特徴とする請求項１に記載のＤＰＣ処理制御装置。
【請求項５】
前記ＤＰＣ処理制御装置は、前記複数の移動局についての受信品質が全て閾値を越えている場合に、ＤＰＣ実行部に対してＤＰＣ処理を実行しないように指示する、
ことを特徴とする請求項１に記載のＤＰＣ処理制御装置。
【請求項６】
空間多重する複数の移動局に関する到来方向推定値を用いて前記複数の移動局に各各対応する送信ビームを形成する際に、送信ビームによって移動局間の電波干渉を起こさせないようにする移動局の数を前記複数の移動局の総数未満に限定し、移動局間の電波干渉が起こり得る移動局に対し事前処理として送信信号にＤＰＣ（Dirty Paper Coding）を行うマルチユーザＭＩＭＯシステムの基地局装置において、
請求項１から５のいずれか１項に記載のＤＰＣ処理制御装置を備えたことを特徴とする基地局装置。
【請求項７】
基地局が、空間多重する複数の移動局に関する到来方向推定値を用いて前記複数の移動局に各各対応する送信ビームを形成する際に、送信ビームによって移動局間の電波干渉を起こさせないようにする移動局の数を前記複数の移動局の総数未満に限定し、移動局間の電波干渉が起こり得る移動局に対し事前処理として送信信号にＤＰＣ（Dirty Paper Coding）を行うマルチユーザＭＩＭＯシステムにおいて、前記ＤＰＣの実行を制御するＤＰＣ処理制御装置を備え、
前記ＤＰＣ処理制御装置は、移動局間の電波干渉による通信品質への影響がＤＰＣの有無に左右されないほどに小さい場合に、ＤＰＣ実行部に対してＤＰＣ処理を実行しないように指示する、
ことを特徴とするＤＰＣ処理制御方法。
【発明の詳細な説明】
【技術分野】
【０００１】
本発明は、ＤＰＣ（Dirty Paper Coding）処理制御装置、基地局装置およびＤＰＣ処理制御方法に関する。
【背景技術】
【０００２】
次世代の無線通信システムでは、複数の送受信アンテナを用いるＭＩＭＯ（Multiple Input Multiple Output）システムが幅広く用いられようとしている。ＭＩＭＯシステムでは、送信側で伝搬チャネルの状態に応じた事前処理を行うことで、ＭＩＭＯシステムの性能を大幅に向上させることができる。特に複数の移動局が空間多重されるマルチユーザＭＩＭＯシステムにおいては、送信側で伝搬チャネルの状態に応じた事前処理を行うことが必須である。
【０００３】
特許文献１に記載される従来のマルチユーザＭＩＭＯシステムでは、基地局は、移動局から送信される信号の到来方向を推定し、空間多重する複数の移動局に関する到来方向推定値を用いて該複数の移動局に各各対応する送信ビームを形成する。このとき、基地局は、送信ビームによって移動局間の電波干渉を起こさせないようにする移動局の数を一つに限定する。そして、基地局は、移動局間の電波干渉が起こり得る移動局に対し事前処理として送信信号にＤＰＣ（Dirty Paper Coding）を行うことによって、電波干渉による通信品質への影響を除去するようにしている。
【０００４】
図５は、従来のマルチユーザＭＩＭＯシステムの概略構成図である。図５において、各移動局（ＭＳ１〜Ｎ）２００では、"User DOA initialization"部２１０がＤＯＡ（Direction of Arrival）を決定し、"Uplink user data generation"部２１１がＤＯＡを有する上り送信信号を生成して送信する。この上り送信信号は、上り伝搬チャネルを介して基地局１００で受信される。
【０００５】
基地局１００では、"DOA estimation by MUSIC"部１１が、受信した上り送信信号を用いて、ＭＵＳＩＣ（Multiple signal classification）アルゴリズムにより、各移動局（ＭＳ１〜Ｎ）２００からの上り送信信号の到来方向を推定する。各移動局（ＭＳ１〜Ｎ）２００の到来方向推定値（DOA Information）は、"DPC encoding"部１３０及び"Beam forming"部１６に通知される。"DPC encoding"部１３０は、"Downlink user data generation"部１２が生成した各移動局（ＭＳ１〜Ｎ）２００宛の下り送信信号に対し、"DOA Information"に基づいてＤＰＣ処理を行う。
【０００６】
"Modulo Operation"部１４は、"DPC encoding"部１３０から出力された下り送信信号に対し、Modulo処理を行う。"Pilot multiplexing"部１５は、"Modulo Operation"部１４から出力された下り送信信号に対し、パイロット信号を多重する。"Beam forming"部１６は、"Pilot multiplexing"部１５から出力された下り送信信号に対し、送信ビーム形成処理を行う。"OFDM modulation"部１７は、"Beam forming"部１６から出力された下り送信信号に対し、ＯＦＤＭ（Orthogonal Frequency Division Multiplexing）変調処理を行う。ＯＦＤＭ変調処理後の下り送信信号は、下り伝搬チャネルを介して各移動局（ＭＳ１〜Ｎ）２００で受信される。各移動局（ＭＳ１〜Ｎ）２００では、"MS receiver"部２２０、"Channel estimation and FDE"部２２１、"Modulo Operation"部２２２及び"Detection and BER cal."部２２３によって、受信した下り送信信号に対し、信号検出処理が行われる。
【先行技術文献】
【特許文献】
【０００７】
【特許文献１】特開２０１０−１５７８０５号公報
【発明の概要】
【発明が解決しようとする課題】
【０００８】
しかし、上述した従来のマルチユーザＭＩＭＯシステムの基地局１００では、"DPC encoding"部１３０が行うＤＰＣ処理にかかる演算量やメモリ量が多いという課題がある。
【０００９】
本発明は、このような事情を考慮してなされたもので、マルチユーザＭＩＭＯシステムにおいて、ＤＰＣによって電波干渉による通信品質への影響を除去する効果を維持しつつ、ＤＰＣ処理による負荷を軽減することができるＤＰＣ処理制御装置、基地局装置およびＤＰＣ処理制御方法を提供することを課題とする。
【課題を解決するための手段】
【００１０】
上記の課題を解決するために、本発明に係るＤＰＣ処理制御装置は、基地局が、空間多重する複数の移動局に関する到来方向推定値を用いて前記複数の移動局に各各対応する送信ビームを形成する際に、送信ビームによって移動局間の電波干渉を起こさせないようにする移動局の数を前記複数の移動局の総数未満に限定し、移動局間の電波干渉が起こり得る移動局に対し事前処理として送信信号にＤＰＣ（Dirty Paper Coding）を行うマルチユーザＭＩＭＯシステムにおいて、前記ＤＰＣの実行を制御するＤＰＣ処理制御装置であり、前記ＤＰＣ処理制御装置は、移動局間の電波干渉による通信品質への影響がＤＰＣの有無に左右されないほどに小さい場合に、ＤＰＣ実行部に対してＤＰＣ処理を実行しないように指示する、ことを特徴とする。
【００１１】
本発明に係るＤＰＣ処理制御装置において、前記ＤＰＣ処理制御装置は、前記複数の移動局についての到来角度差が全て閾値を越えている場合に、ＤＰＣ実行部に対してＤＰＣ処理を実行しないように指示する、ことを特徴とする。
【００１２】
本発明に係るＤＰＣ処理制御装置において、前記ＤＰＣ処理制御装置は、移動局間の電波干渉が起こり得る移動局に対して、電波干渉を受ける全ての移動局との到来角度差が閾値を超えている場合に、ＤＰＣ実行部に対してＤＰＣ処理を実行しないように指示する、ことを特徴とする。
【００１３】
本発明に係るＤＰＣ処理制御装置において、前記ＤＰＣ処理制御装置は、各移動局の到来方向推定値から得られるステアリングベクターをＬＱ分解して得られる下三角行列の対角成分以外の成分のうち一つでも成分値が閾値以下である場合に、ＤＰＣ実行部に対してＤＰＣ処理を実行しないように指示する、ことを特徴とする。
【００１４】
本発明に係るＤＰＣ処理制御装置において、前記ＤＰＣ処理制御装置は、前記複数の移動局についての受信品質が全て閾値を越えている場合に、ＤＰＣ実行部に対してＤＰＣ処理を実行しないように指示する、ことを特徴とする。
【００１５】
本発明に係る基地局装置は、空間多重する複数の移動局に関する到来方向推定値を用いて前記複数の移動局に各各対応する送信ビームを形成する際に、送信ビームによって移動局間の電波干渉を起こさせないようにする移動局の数を前記複数の移動局の総数未満に限定し、移動局間の電波干渉が起こり得る移動局に対し事前処理として送信信号にＤＰＣ（Dirty Paper Coding）を行うマルチユーザＭＩＭＯシステムの基地局装置において、前述のいずれかのＤＰＣ処理制御装置を備えたことを特徴とする。
【００１６】
本発明に係るＤＰＣ処理制御方法は、基地局が、空間多重する複数の移動局に関する到来方向推定値を用いて前記複数の移動局に各各対応する送信ビームを形成する際に、送信ビームによって移動局間の電波干渉を起こさせないようにする移動局の数を前記複数の移動局の総数未満に限定し、移動局間の電波干渉が起こり得る移動局に対し事前処理として送信信号にＤＰＣ（Dirty Paper Coding）を行うマルチユーザＭＩＭＯシステムにおいて、前記ＤＰＣの実行を制御するＤＰＣ処理制御装置を備え、前記ＤＰＣ処理制御装置は、移動局間の電波干渉による通信品質への影響がＤＰＣの有無に左右されないほどに小さい場合に、ＤＰＣ実行部に対してＤＰＣ処理を実行しないように指示する、ことを特徴とする。
【発明の効果】
【００１７】
本発明によれば、マルチユーザＭＩＭＯシステムにおいて、ＤＰＣによって電波干渉による通信品質への影響を除去する効果を維持しつつ、ＤＰＣ処理による負荷を軽減することができる。
【図面の簡単な説明】
【００１８】
【図１】本発明の一実施形態に係るマルチユーザＭＩＭＯシステムの概略構成図である。
【図２】本発明に係るＤＰＣスイッチ２０の実施例１である。
【図３】本発明に係るＤＰＣスイッチ２０の実施例３である。
【図４】本発明に係るＤＰＣスイッチ２０の実施例４である。
【図５】従来のマルチユーザＭＩＭＯシステムの概略構成図である。
【発明を実施するための形態】
【００１９】
以下、図面を参照し、本発明の実施形態について説明する。
図１は、本発明の一実施形態に係るマルチユーザＭＩＭＯシステムの概略構成図である。この図１において図５の各部に対応する部分には同一の符号を付け、その説明を省略する。図１に示すマルチユーザＭＩＭＯシステムにおいて、図５に示す従来のマルチユーザＭＩＭＯシステムと異なる点は、ＤＰＣスイッチ２０（ＤＰＣ処理制御装置）を基地局１０に設けてＤＰＣの実行を制御するようにした点である。
【００２０】
図１の基地局１０において、ＤＰＣスイッチ２０は、"DPC encoding"部１３（ＤＰＣ実行部）に対し、ＤＰＣ制御信号（DPC encoding on/off）を出力する。ＤＰＣスイッチ２０は、ＤＰＣ処理を実行させるときにはＤＰＣ制御信号をオン（DPC encoding on）にし、ＤＰＣ処理を実行させないときにはＤＰＣ制御信号をオフ（DPC encoding off）にする。又、ＤＰＣスイッチ２０は、ＤＰＣ処理を実行させるときには、"DOA Information"を"DPC encoding"部１３へ出力する。
【００２１】
"DPC encoding"部１３は、ＤＰＣ制御信号がオン（DPC encoding on）である場合に、"Downlink user data generation"部１２が生成した各移動局（ＭＳ１〜Ｎ）２００宛の下り送信信号に対し、"DOA Information"に基づいてＤＰＣ処理を行う。一方、"DPC encoding"部１３は、ＤＰＣ制御信号がオフ（DPC encoding off）である場合には、"Downlink user data generation"部１２が生成した各移動局（ＭＳ１〜Ｎ）２００宛の下り送信信号に対し、ＤＰＣ処理を行わず、該下り送信信号をそのまま"Modulo Operation"部１４へ出力する。
【００２２】
以下、本実施形態に係るＤＰＣスイッチ２０の各実施例を説明する。
【実施例１】
【００２３】
図２は、本実施形態に係るＤＰＣスイッチ２０の実施例１である。実施例１では、各移動局（ＭＳ１〜Ｎ）２００からの到来方向の角度差に基づいて、ＤＰＣ処理を実行させるか否かを判断する。ＤＰＣスイッチ２０には、"DOA estimation by MUSIC"部１１から、各移動局（ＭＳ１〜Ｎ）２００の到来方向推定値（DOA Information）が入力される。
【００２４】
図２において、ステップＳ１１では、ＤＰＣスイッチ２０は、各移動局（ＭＳ１〜Ｎ）２００の到来方向推定値（DOA Information）の角度差（ＤＯＡ差）を計算する。ステップＳ１２では、ＤＰＣスイッチ２０は、それぞれのＤＯＡ差を所定の閾値と比較する。
【００２５】
ステップＳ１２の比較の結果、全てのＤＯＡ差が閾値を越えている場合にはステップＳ１３に進む。ステップＳ１３では、ＤＰＣスイッチ２０は、ＤＰＣ制御信号をオフ（DPC encoding off）にして"DPC encoding"部１３へ出力する。これにより、"DPC encoding"部１３は、ＤＰＣ処理を実行しない。
【００２６】
一方、ステップＳ１２の比較の結果、一つでもＤＯＡ差が閾値以下である場合にはステップＳ１４に進む。ステップＳ１４では、ＤＰＣスイッチ２０は、ＤＰＣ制御信号をオン（DPC encoding on）にして"DPC encoding"部１３へ出力する。これにより、"DPC encoding"部１３は、ＤＰＣ処理を実行する。
【００２７】
本実施例１では、複数の移動局（ＭＳ１〜Ｎ）２００についての到来方向の角度差（到来角度差）が全て閾値を越えている場合には、ＤＰＣ処理を実行しないようにしている。この理由を以下に説明する。
【００２８】
本マルチユーザＭＩＭＯシステムの基地局は、空間多重する複数の移動局に関する到来方向推定値を用いて該複数の移動局に各各対応する送信ビームを形成するが、送信ビームによって移動局間の電波干渉を起こさせないようにする移動局の数を一つに限定する。そして、基地局は、移動局間の電波干渉が起こり得る移動局に対し事前処理として送信信号にＤＰＣを行うことによって、電波干渉による通信品質への影響を除去するようにしている。
【００２９】
ここで、移動局間の電波干渉が起こり得る移動局であっても、移動局間の到来角度差がある程度（閾値）を超える場合には、各移動局の到来方向推定値に基づいて形成される送信ビームによって移動局間の電波干渉量を十分に小さくすることができるので、電波干渉による通信品質への影響をＤＰＣの有無に左右されないほどに小さくすることができる。したがって、そのように閾値を設定すれば、複数の移動局（ＭＳ１〜Ｎ）２００についての到来角度差が全て閾値を越えている場合には、移動局間の電波干渉による通信品質への影響がＤＰＣの有無に左右されないほどに小さくなり、ＤＰＣを実行しても実行しなくても、電波干渉による通信品質への影響は変わらないので、ＤＰＣを実行しないようにする。これにより、マルチユーザＭＩＭＯシステムにおいて、ＤＰＣによって電波干渉による通信品質への影響を除去する効果を維持しつつ、ＤＰＣ処理による負荷を軽減することができる。
【実施例２】
【００３０】
実施例２は、上記実施例１の変形例である。実施例２では、全ての移動局（ＭＳ１〜Ｎ）２００に対して一括でＤＰＣ処理の実行の有無を決めるのではなく、移動局ごとに到来角度差に応じてＤＰＣ処理の実行の有無を決める。
【００３１】
ここでは、４台の移動局（ＭＳ１〜４）２００を例に挙げて説明する。４台の移動局（ＭＳ１〜４）２００に対する送信ビーム形成処理によって、移動局（ＭＳ１）２００は干渉無し、移動局（ＭＳ２）２００は移動局（ＭＳ１）２００からの干渉有り、移動局（ＭＳ３）２００は移動局（ＭＳ１）２００と移動局（ＭＳ２）２００からの干渉有り、移動局（ＭＳ４）２００は移動局（ＭＳ１）２００と移動局（ＭＳ２）２００と移動局（ＭＳ３）２００からの干渉有り、であるとする。
【００３２】
この場合、ＤＰＣスイッチ２０は、以下に示すように、移動局間の電波干渉が残る各移動局（ＭＳ２〜４）２００に対するＤＰＣ処理の実行の有無を決定する。
移動局（ＭＳ２）２００に対しては、移動局（ＭＳ１）２００との到来角度差が閾値を超えている場合に、ＤＰＣ処理の実行無しとする。
移動局（ＭＳ３）２００に対しては、移動局（ＭＳ１）２００との到来角度差及び移動局（ＭＳ２）２００との到来角度差の両方が閾値を超えている場合に、ＤＰＣ処理の実行無しとする。
移動局（ＭＳ４）２００に対しては、移動局（ＭＳ１）２００との到来角度差、移動局（ＭＳ２）２００との到来角度差及び移動局（ＭＳ３）２００との到来角度差の全てが閾値を超えている場合に、ＤＰＣ処理の実行無しとする。
【００３３】
このように本実施例２では、移動局間の電波干渉が起こり得る移動局に対して、電波干渉を受ける全ての移動局との到来角度差が閾値を超えている場合に、ＤＰＣ処理の実行無しとする。
【実施例３】
【００３４】
図３は、本実施形態に係るＤＰＣスイッチ２０の実施例３である。実施例３では、各移動局（ＭＳ１〜Ｎ）２００の到来方向推定値（DOA Information）から得られるステアリングベクターをＬＱ分解して得られる下三角行列の対角成分以外の成分の値の大きさに基づいて、ＤＰＣ処理を実行させるか否かを判断する。ＤＰＣスイッチ２０には、"DOA estimation by MUSIC"部１１から、各移動局（ＭＳ１〜Ｎ）２００の到来方向推定値（DOA Information）が入力される。
【００３５】
図３において、ステップＳ２１では、ＤＰＣスイッチ２０は、各移動局（ＭＳ１〜Ｎ）２００の到来方向推定値（DOA Information）から得られるステアリングベクターをＬＱ分解する。このＬＱ分解の結果として下三角行列が得られる。
【００３６】
ステップＳ２２では、ＤＰＣスイッチ２０は、下三角行列の対角成分以外の成分の値を所定の閾値と比較する。
【００３７】
ステップＳ２２の比較の結果、一つでも成分値が閾値以下である場合にはステップＳ２３に進む。ステップＳ２３では、ＤＰＣスイッチ２０は、ＤＰＣ制御信号をオフ（DPC encoding off）にして"DPC encoding"部１３へ出力する。これにより、"DPC encoding"部１３は、ＤＰＣ処理を実行しない。
【００３８】
一方、ステップＳ２２の比較の結果、全ての成分値が閾値を越えている場合にはステップＳ２４に進む。ステップＳ２４では、ＤＰＣスイッチ２０は、ＤＰＣ制御信号をオン（DPC encoding on）にして"DPC encoding"部１３へ出力する。これにより、"DPC encoding"部１３は、ＤＰＣ処理を実行する。
【００３９】
なお、本実施例３においても、上記実施例２と同様に、移動局ごとに閾値判定してＤＰＣ処理の実行の有無を決めるようにすることができる。
【実施例４】
【００４０】
図４は、本実施形態に係るＤＰＣスイッチ２０の実施例４である。実施例４では、各移動局（ＭＳ１〜Ｎ）２００における受信品質（例えば、ＳＩＮＲ（Signal to Interference and Noise power Ratio））に基づいて、ＤＰＣ処理を実行させるか否かを判断する。
【００４１】
本マルチユーザＭＩＭＯシステムでは、各移動局（ＭＳ１〜Ｎ）２００は、ＣＱＩ（Channel Quality Indicator）を用いてＳＩＮＲを基地局１０へ通知する。ＤＰＣスイッチ２０には、各移動局（ＭＳ１〜Ｎ）２００からのＣＱＩが入力される。このＣＱＩはＳＩＮＲを表す。
【００４２】
図４において、ステップＳ３１では、ＤＰＣスイッチ２０は、各移動局（ＭＳ１〜Ｎ）２００からのＣＱＩを受け取る。
【００４３】
ステップＳ３２では、ＤＰＣスイッチ２０は、それぞれのＣＱＩを所定の閾値と比較する。ここで、閾値は、選択可能なＭＣＳ（Modulation and Coding Scheme）のうち最も周波数利用効率が高いＭＣＳを選択することができるＣＱＩの下限値である。例えば、最も周波数利用効率が高いＭＣＳが「変調方式：６４ＱＡＭ」と「誤り訂正符号の符号化率：１１／１２」の組であって、このＭＣＳが選択されるためのＣＱＩの下限値が３０ｄＢである場合には、閾値を３０ｄＢに設定する。
【００４４】
ステップＳ３２の比較の結果、全てのＣＱＩが閾値を越えている場合にはステップＳ３３に進む。ステップＳ３３では、ＤＰＣスイッチ２０は、ＤＰＣ制御信号をオフ（DPC encoding off）にして"DPC encoding"部１３へ出力する。これにより、"DPC encoding"部１３は、ＤＰＣ処理を実行しない。
【００４５】
一方、ステップＳ３２の比較の結果、一つでもＣＱＩが閾値以下である場合にはステップＳ３４に進む。ステップＳ３４では、ＤＰＣスイッチ２０は、ＤＰＣ制御信号をオン（DPC encoding on）にして"DPC encoding"部１３へ出力する。これにより、"DPC encoding"部１３は、ＤＰＣ処理を実行する。
【００４６】
なお、本実施例４においても、上記実施例２と同様に、移動局ごとに閾値判定してＤＰＣ処理の実行の有無を決めるようにすることができる。
【００４７】
以上、本発明の実施形態について図面を参照して詳述してきたが、具体的な構成はこの実施形態に限られるものではなく、本発明の要旨を逸脱しない範囲の設計変更等も含まれる。
例えば、基地局が送信ビームによって移動局間の電波干渉を起こさせないようにする移動局の数は、空間多重する移動局の総数未満の複数であってもよい。
【符号の説明】
【００４８】
１０…基地局、１３…"DPC encoding"部（ＤＰＣ実行部）、２０…ＤＰＣスイッチ（ＤＰＣ処理制御装置）
【図１】
2013005379.tif 000003
【図２】
2013005379.tif 000004
【図３】
2013005379.tif 000005
【図４】
2013005379.tif 000006
【図５】
2013005379.tif 000007